(57)【特許請求の範囲】
【請求項１】
光素子の取付部を有するベースに、上記取付部に取り付けられた光素子に相手方光コネクタに具備された光路端を位置合わせするための位置合わせ手段と、上記相手方光コネクタを保持して上記ベースからの離脱を防ぐ保持手段とが備わっている光コネクタにおいて、上記位置合わせ手段は、相手方光コネクタに設けられて上記光路端を形成している突出部が内嵌される嵌合孔部と、その嵌合孔部に上記突出部が内嵌されているときに相手方光コネクタを下から支える支持面と、その支持面とで相手方光コネクタを挟持するカバーとで形成され、上記支持面は、ベースの前半部に形成し、上記嵌合孔部は、上記支持面の後端に連設されて直角に立上がるベースの立上り面に開口し、上記カバーは、横軸を中心にして上下に開閉可能にベースに取り付けられると共に、横軸よりも前側でベースとカバーとに跨って配備される開位置規制機構を有し、その開位置規制機構によって規制される最大開き角度に開いたときに、ベースの支持面とで相手方光コネクタを挟持することを特徴とする光コネクタ。
【請求項２】
上記支持面が後下がりに傾斜しており、最大開き角度に開いた上記カバーの内側下面が上記支持面と平行になり、そのカバーが閉じたときにそのカバーの外側上面と上記ベースの外側下面とが平行になるように形成されている請求項１に記載した光コネクタ。
【請求項３】
上記カバーはその後端部が上記ベースの後端部に横軸を介して開閉可能に取り付けられ、上記横軸よりも前側でベースとカバーとに跨がってそれらに相対揺動可能にリンクが連結配備され、上記カバーが最大開き角度に開いたときに、そのリンクに具備された長孔の孔縁に、上記ベース又はカバーに設けられた突起が係止されるようになっており、上記開位置規制機構が、上記長孔を有する上記リンクと上記突起とによって形成されている請求項１に記載した光コネクタ。
【請求項４】
上記保持手段が、上記ベース又はカバーのうちの少なくとも一方と相手方光コネクタとに振り分けて設けられた互いに嵌脱可能な凹部と凸部とにより形成されている請求項１に記載した光コネクタ。
【請求項５】
上記保持手段が、上記ベースに設けられて相手方光コネクタの側方に弾接する弾性片により形成されている請求項１に記載した光コネクタ。
【請求項６】
相手方光コネクタが、ボディと、このボディから突出された正面視多角形の外筒部と、この外筒部から突出された正面視円形の突出部とを備え、外筒部が上記支持面と上記カバーとによって挟持されるようになっている請求項１に記載した光コネクタ。
【請求項７】
相手方光コネクタが、ボディと、このボディから突出された正面視円形の杆部と、この杆部から括れ部を介して突出された正面視円形の突出部とを備え、杆部が上記支持面と上記カバーとによって挟持されるようになっている請求項１に記載した光コネクタ。
【請求項８】
上記カバーが、機器の筐体によって共用されている請求項１に記載した光コネクタ。
【発明の詳細な説明】
【０００１】
【発明の属する技術分野】
本発明は、光コネクタ、詳しくは光通信に用いられる角形あるいは丸形のプラグを相手方光コネクタとして用い得る光コネクタに関する。
【０００２】
【従来の技術】
近時、ポータブルタイプあるいは据置きタイプの電気機器、たとえばＭＤ、ＣＤ、ＤＶＤ、ＳＴＢ（ＢＳチューナやＣＳチューナ）といったデジタルオーディオ機器では薄形化・小形化指向が強く、そのために、それらの機器に組み込まれる光コネクタについても薄形化・小形化が望まれている。
【０００３】
しかし、従来の光ミニジャックといった光コネクタは、比較的大形で、特に角形光コネクタは丸形光コネクタに比べても大きく、ポータブルタイプの機器に使用できるようなものではなかった。
【０００４】
また、従来の光コネクタは、キャップもしくはシャッターを用いて防塵を行ったり光の遮蔽を行ったりしていたので、キャップもしくはシャッターを設けることが不可欠で、そのことが光コネクタの薄形化・小形化を阻害する要因になっていた。
【０００５】
【発明が解決しようとする課題】
本発明は以上の事情の下でなされたものであり、薄形化・小型化を図りやすい光コネクタを提供することを目的とする。
【０００６】
また、本発明は、ポータブルタイプの機器に搭載が可能な光コネクタを提供することを目的とする。
【０００７】
さらに、本発明は、部品の種類や点数が少なくて済む光コネクタを提供することを目的とする。
【０００８】
さらに、本発明は、組立が容易な光コネクタを提供することを目的とする。
【０００９】
さらに、本発明は、機器の筐体を必要部品として共用することのできる光コネクタを提供することを目的とする。
【００１０】
【課題を解決するための手段】
本発明に係る光コネクタは、光素子の取付部を有するベースに、上記取付部に取り付けられた光素子に相手方光コネクタに具備された光路端を位置合わせするための位置合わせ手段と、上記相手方光コネクタを保持して上記ベースからの離脱を防ぐ保持手段とが備わっている光コネクタにおいて、上記位置合わせ手段が、相手方光コネクタに設けられて上記光路端を形成している突出部が内嵌される嵌合孔部と、その嵌合孔部に上記突出部が内嵌されているときに相手方光コネクタを下から支える支持面と、その支持面とで相手方光コネクタを挟持するカバーとで形成され、上記支持面は、ベースの前半部に形成し、上記嵌合孔部は、上記支持面の後端に連設されて直角に立上がるベースの立上り面に開口し、上記カバーは、横軸を中心にして上下に開閉可能にベースに取り付けられると共に、横軸よりも前側でベースとカバーとに跨って配備される開位置規制機構を有し、その開位置規制機構によって規制される最大開き角度に開いたときに、ベースの支持面とで相手方光コネクタを挟持することを特徴とするものである。
【００１１】
この光コネクタにおいて、相手方光コネクタに具備された光路端は位置合わせ手段によって光素子に位置合わせされ、相手方光コネクタは保持手段によってベースからの離脱が防止される。そのため、相手方光コネクタの光路端と光素子とが位置ずれして光通信が阻害されたり、ベースにセットされた相手方光コネクタが不慮にベースから脱落するといった事態が起こらない。
【００１２】
相手方光コネクタが支持面とカバーとにより挟持され、相手方光コネクタの突出部が嵌合孔部に内嵌されることによって、その相手方光コネクタに具備された光路端が光素子に確実に位置決めされる。
【００１３】
上記嵌合孔部が、上記支持面の後端に連設されて直角に立上がるベースの立上り面に開口されることによって、相手方光コネクタを支持面によって支持させる操作と、相手方光コネクタの突出部を嵌合孔部に内嵌する操作とを連続して行うことができる。すなわち、支持面上で相手方光コネクタを後方へスライドさせることによって、相手方光コネクタの突出部が嵌合孔部に自然に内嵌される。
【００１４】
上記カバーが、横軸を中心にして上下に開閉可能にベースに取り付けられると共に、横軸よりも前側でベースとカバーとに跨って配備される開位置規制機構を有し、その開位置規制機構によって規制される最大開き角度に開いたときに、ベースの支持面とで相手方光コネクタを挟持することによって、相手方光コネクタが支持面と最大開き角度に開いたカバーとによって挟持されるので、相手方光コネクタがぐらついて光通信を阻害するという事態が起こらない。
【００１５】
この作用は、上記支持面が後下がりに傾斜しており、最大開き角度に開いた上記カバーの内側下面が上記支持面と平行になり、そのカバーが閉じたときにそのカバーの外側上面と上記ベースの外側下面とが平行になるように形成されていても発揮される。
【００１６】
上記カバーはその後端部が上記ベースの後端部に横軸を介して開閉可能に取り付けられ、上記横軸よりも前側でベースとカバーとに跨がってそれらに相対揺動可能にリンクが連結配備され、上記カバーが最大開き角度に開いたときに、そのリンクに具備された長孔の孔縁に、上記ベース又はカバーに設けられた突起が係止されるようになっており、上記開位置規制機構が、上記長孔を有する上記リンクと上記突起とによって形成されている、という構成を採用することが可能である。
【００１７】
上記保持手段は、上記ベース又はカバーのうちの少なくとも一方と相手方光コネクタとに振り分けて設けられた互いに嵌脱可能な凹部と凸部とにより形成されていても、上記ベースに設けられて相手方光コネクタの側方に弾接する弾性片により形成されていてもよい。前者の保持手段は、相手方光コネクタが、ボディと、このボディから突出された正面視多角形の外筒部と、この外筒部から突出された正面視円形の突出部とを備え、外筒部が上記支持面と上記カバーとによって挟持されるようになっている角形光コネクタである場合に有益である。後者の保持手段は、相手方光コネクタが、ボディと、このボディから突出された正面視円形の杆部と、この杆部から括れ部を介して突出された正面視円形の突出部とを備え、杆部が上記支持面と上記カバーとによって挟持されるようになっている丸形光コネクタである場合に有益である。
【００１８】
本発明において、上記カバーは、機器の筐体によって共用することが可能である。したがって、当該光コネクタを組み付けた機器の薄形化・小形化を促進しやすくなる。
【００１９】
また、本発明に係る光コネクタは、冒頭で説明した防塵用あるいは光遮蔽用のキャップやシャッターを必ずしも必要としていないので、それらを必要とする従来の光コネクタに比べて部品の種類や点数を削減しやすい。
【００２０】
本発明の数ある具体的な特徴や本発明によって奏される作用は、以下に説明する実施形態によって明らかになる。
【００２１】
【発明の実施の形態】
図１は本発明の第１実施形態に係る光コネクタの使用状態を示す側面図、図２は同光コネクタの縦断側面図、図３は同光コネクタの要部の縦断正面図、図４〜図６は同光コネクタの組立手順を示した側面図である。
【００２２】
この光コネクタは、合成樹脂成形体でなるベース１０と、合成樹脂成形体でなるカバー３０と、ベース１０とカバー３０とに跨がってそれらに相対揺動可能に連結配備されたリンク５０とを備えている。この光コネクタは、図１４〜図１６に示した角形プラグを相手方光コネクタ１００として使用し得る。
【００２３】
図１４〜図１６のように、相手方光コネクタ１００は、正面視多角形のボディ１１０と、このボディ１１０から突出された正面視多角形の外筒部１２０と、この外筒部１２０から突出された正面視円形の突出部１３０とを備えている。そして、突出部１３０によって光路端が形成される。また、外筒部１２０の上面と下面とに側面視円弧状の係合凸部１４１，１４２が形成されている。
【００２４】
次に、ベース１０、カバー３０及びリンク５０の詳細構造について説明する。
【００２５】
図７はベース１０の平面図、図８はベース１０の側面図、図９は図７のＩＸ−ＩＸ線断面図である。
【００２６】
ベース１０の後端部の左右２箇所に凹所１１があり、それらの凹所１１の左右の壁面に横軸１２が設けられている。凹所１１の前側に、前下りに貫通した孔部でなる取付部１３が形成され、この取付部１３に、図２のように光素子Ｐが取り付けられる。ベース１０の前半部に後下がりに傾斜した支持面１４が形成されており、この支持面１４の後端に直角に立上り面１５が連設され、この立上り面１５で円形の嵌合孔部１６が開口している。この嵌合孔部１６は、上記相手方光コネクタ１００の突出部１３０によって形成されている光路端を、取付部１３に取り付けられた光素子Ｐに対して位置合わせすることに役立つ。図３にも現れているように、上記支持面１４は、平坦な底面１４ａと、その底面１４ａの左右両側の上開き状の傾斜面１４ｂと、これらの傾斜面１４ｂに垂直に連設された左右の側面１４ｃと、これらの側面１４ｃに連設された平坦な上面１４ｄとによって形成されており、底面１４ａには係合凹部１８が備わっている。さらに、ベース１０の前端部の左右２箇所に横向きに突き出た支軸としての突起１７が設けられている。
【００２７】
図１０はカバー３０の平面図、図１１はカバー３０の側面図、図１２はカバー３０の内面を表した裏面図、図１３は図１０のＸＩＩＩ−ＸＩＩＩ線断面図である。
【００２８】
カバー３０の左右２箇所に縁板部３１が備わっている。この縁板部３１は、その後端部に円形の軸孔３２を有し、前後方向中間部に横向きに突き出た支軸としての突起３３を有していると共に、その前半部の下端３４が後下がりに傾斜している。この下端３４の傾斜角度は、図７〜図９で説明したベース１０の支持面１４を形成している上面１４ｄと同じ傾斜角度になっている。また、カバー３０の内面の前半部は押え面３５として形成されており、この押え面３５に係合凹部３６が備わっている。
【００２９】
図１のように、リンク５０は、その両端に長手方向に長い長孔５１，５２を有している。
【００３０】
次に、ベース１０とカバー３０とリンク５０とを用いて光コネクタを組み立てる手順の一例を図４〜図６を参照して説明する。
【００３１】
図４は組立の初期段階を示している。この初期段階では、起立させたリンク５０の一方の長孔５１にベース１０側の突起１７が嵌め込まれ、リンク５０の他方の長孔５２にカバー３０側の突起３３が嵌め込まれる。このようにしてリンク５０をベース１０とカバー３０とに跨がって連結配備した後、図５のようにリンク５０が後方に倒され、その後、カバー３０の左右の縁枠部３１の後端部を上記したベース１０の後端部の左右の凹所１１（図７参照）に各別に嵌め込み、かつ、それらの縁枠部３１に備わっている軸孔３２にベース１０側の横軸１２を外側から嵌め込むことによって、図６のようにカバー３０をベース１０に開閉可能に取り付ける。なお、リンク５０は、ベース１０とカバー３０とに跨がってそれらの左右に配備される。
【００３２】
こうしてベース１０にカバー３０を取り付けた場合、カバー３０はベース１０側の横軸１２を中心にして上下に開閉可能となる。そして、カバー３０が閉じているときには、図６のように、カバー３０の縁板部３１の傾斜した下端３４が、ベース１０側の支持面１４を形成している上面１４ｄに重なり合う。このため、ベース１０側の嵌合孔部１６や支持面１４の左右両側がカバー３０の左右の縁板部３１によって覆われて防塵が行われる。併せて、カバー３０が閉じたときには、図６のように、カバー３０の外側上面３７とベース１０の外側下面１９とが平行になる。なお、カバー３０を図６のように閉じているときには、リンク５０の長孔５１，５２には、突起１７，３３との間に遊びとなる隙間が形成されるようになっている。
【００３３】
一方、カバー３０の最大開き角度がリンク５０とベース１０側の突起１７及びカバー３０側の突起３３とによって規制されるようになる。すなわち、カバー３０がベース１０側の横軸１２を中心として最大開き角度に開いたときには、図１のように、ベース１０側又はカバー３０側の両方の突起１７，３３が、上記横軸１２よりも前側に配備されているリンク５０の各長孔５１，５２のそれぞれの孔縁に係止されるため、カバー３０がそれ以上の角度に開かなくなる。
【００３４】
ここで、カバー３０が図２のように最大開き角度に開いたときには、カバーの内側下面によって形成されている上記押え面３５が、ベース１０側の支持面１４と平行になり、しかも、支持面１４の底面１４ａと押え面３５との間隔Ｈ１が、図１４〜図１６で説明した相手方光コネクタ１００の多角形の外筒部１２０の上下幅Ｈ２と同一の設計寸法に定められている。したがって、カバー３０が最大開き角度に開いているときに、ベース１０の支持面１４とカバー３０の押え面３５との間に相手方光コネクタ１００の外筒部１２０を挿入すると、その外筒部１２０が、支持面１４と押え面３５とによって挟持される。
【００３５】
以上のように構成された光コネクタにおいて、ベース１０側の嵌合孔部１６と、ベース１０側の支持面１４と、カバー３０側の押え面３５とは、位置合わせ手段を形成しており、この位置合わせ手段によって、ベース１０側の取付部１３に取り付けられた光素子Ｐに相手方光コネクタ１００に具備された光路端が位置合わせされる。
【００３６】
また、長孔５１，５２を有するリンク５０とベース側１０の突起１７又はカバー３０側の突起３３とによって開位置規制機構が形成されており、この開位置規制機構によって、ベース１０に対するカバー３０の最大開き角度が、ベース１０側の支持面１４との間に相手方光コネクタ１００を挟持し得る角度に規制される。
【００３７】
さらに、ベース１０側の係合凹部１８及びカバー３０側の係合凹部３６と相手方光コネクタ１００側の係合凸部１４１，１４２とによって保持手段が形成されており、この保持手段によって、相手方光コネクタ１００がベース１０から離脱しないようにそのベース１０に保持される。
【００３８】
以上説明した光コネクタにおいて、図１及び図２のようにカバー３０を最大開き角度に開き、ベース１０側の支持面１４とカバー３０側の押え面３５との間に相手方光コネクタ１００の外筒部１２０を挿入すると、外筒部１２０が、図３のように支持面１４に嵌まり込み、しかも図２のように支持面１４と押え面３５とによって挟持されると共に、相手方光コネクタ１００の光路端を形成している突出部１３０がベース１０側の嵌合孔部１６に内嵌して光素子Ｐに位置合わせされ、同時に、外筒部１２０の上下の係合凸部１４１，１４２がカバー３０側の係合凹部３６とベース１０側の係合凹部１８とに嵌まり込んで係合する。したがって、相手方光コネクタ１００が、ベース１０に、動かないようにセットされ、しかも、ベース１０からの不慮の離脱も防止される。また、外筒部１２０の上下の係合凸部１４１，１４２がカバー３０側の係合凹部３６とベース１０側の係合凹部１８とに嵌まり込むときの適度の感触が手に伝わって使い勝手もよい。
【００３９】
図１７は本発明の第２実施形態に係る光コネクタの使用状態を示す側面図、図１８は同光コネクタの縦断側面図、図１９は同光コネクタの要部の平面図、図２０及び図２１は同光コネクタの組立手順を示した側面図である。
【００４０】
この光コネクタは、図２９及び図３０に示した丸形プラグを相手方光コネクタ２００として用い得るものである点で、上記した第１実施形態のものと異なっている。図２９及び図３０のように、相手方光コネクタ２００は、正面視多角形のボディ２１０と、このボディ２１０から突出された正面視円形の杆部２２０と、この杆部２２０から括れ部２３０を介して突出された正面視円形の突出部２４０とを備えている。この相手方光コネクタ２００は、所謂３．５ｍｍの電気ジャックと共用されている。
【００４１】
図２２はベース１０の平面図、図２３はベース１０の側面図、図２４は図２２のＸＸＩＶ−ＸＸＩＶ線断面図である。
【００４２】
このベース１０において、第１実施形態のベース１０と異なる主な点は、凹所１１の後側に、前下りに貫通した孔部でなる取付部１３が形成されている点、ベース１０の前半部に後下がりに傾斜した円弧状の支持面１４が形成されている点、支持面１４の左右両側に振り分けて後述する弾性片６１〜６３の取付孔２１〜２３が設けられている点である。その他の事項は、第１実施形態のベース１０と同様又は略同様になっている。したがって、同一又は相応する部分に同一符号を付して詳細な説明を省略する。
【００４３】
図２５はカバー３０の平面図、図２６はカバー３０の側面図、図２７はカバー３０の内面を表した裏面図、図２８は図２５のＸＸＶＩＩＩ−ＸＸＶＩＩＩ線断面図である。このカバー３０において、第１実施形態のカバー３０と異なる主な点は、押え面３５の形状である。その他の事項は、第１実施形態のカバー３０と同様又は略同様になっている。したがって、同一又は相応する部分に同一符号を付して詳細な説明を省略する。
【００４４】
この光コネクタに用いられるリンク５０は第１実施形態のそれと同一である。
【００４５】
次に、ベース１０とカバー３０とリンク５０とを用いて光コネクタを組み立てる手順の一例を図２０及び図２１を参照して説明する。
【００４６】
図２０は組立の初期段階を示している。この初期段階では、起立させたリンク５０の一方の長孔５１にベース１０側の突起１７が嵌め込まれ、リンク５０の他方の長孔５２にカバー３０側の突起３３が嵌め込まれる。このようにしてリンク５０をベース１０とカバー３０とに跨がって連結配備した後、リンク５０が後方に倒され、その後、カバー３０の左右の縁枠部３１の後端部を上記したベース１０の後端部の左右の凹所１１（図２２参照）に各別に嵌め込み、かつ、それらの縁枠部３１に備わっている軸孔３２にベース１０側の横軸１２を外側から嵌め込むことによって、図２１のようにカバー３０をベース１０に開閉可能に取り付ける。なお、リンク５０は、ベース１０とカバー３０とに跨がってそれらの左右に配備される。
【００４７】
こうしてベース１０にカバー３０を取り付けた場合、カバー３０はベース１０側の横軸１２を中心にして上下に開閉可能となる。この光コネクタにおいても、カバー３０が閉じているときには、カバー３０の縁板部３１が防塵作用を発揮し、併せて、図２１のようにカバー３０の外側上面３７とベース１０の外側下面１９とが平行になる。一方、カバー３０の最大開き角度がリンク５０とベース１０側の突起１７及びカバー３０側の突起３３とによって規制されるようになる。この点は第１実施形態と同様である。
【００４８】
ここで、カバー３０が図１８のように最大開き角度に開いたときには、カバーの内側下面によって形成されている上記押え面３５が、ベース１０側の支持面１４と平行になり、しかも、支持面１４と押え面３５との上下幅が相手方光コネクタ２００の杆部２２０の直径と同一の設計寸法に定められている。したがって、カバー３０が最大開き角度に開いているときに、ベース１０の支持面１４とカバー３０の押え面３５との間に相手方光コネクタ２００の杆部２２０を挿入すると、その杆部２２０が、支持面１４と押え面３５とによって挟持される。
【００４９】
以上説明した光コネクタにおいて、図１７及び図１８のようにカバー３０を最大開き角度に開き、ベース１０側の支持面１４とカバー３０側の押え面３５との間に相手方光コネクタ２００の杆部２２０を挿入すると、杆部２２０が、支持面１４と押え面３５とによって挟持されると共に、相手方光コネクタ２００の突出部２４０がベース１０側の嵌合孔部１６に内嵌して光素子Ｐに位置合わせされる。したがって、相手方光コネクタ２００が、ベース１０に、動かないようにセットされる。
【００５０】
この第２実施形態では、相手方光コネクタ２００が電気ジャックと共用されている点に着目し、図１９のようにベース１０の取付孔２１〜２３（図２２参照）に組み付けた弾性片６１，６２，６３が、セットされた相手方光コネクタ２００の杆部２２０に側方から弾接するようにしてある。こうしておくと、弾性片６１，６２，６３の弾圧力によって、相手方光コネクタ２００のベース１０からの不慮の離脱が防止される。したがって、これらの弾性片６１，６２，６３が保持手段を形成している。上記弾性片６１，６２，６３としては、電気ジャックと組み合わせて用いられる端子部材を用い得る。
【００５１】
以上の説明では、第２実施形態に特有の点について主に説明したけれども、その他の点は第１実施形態で説明した事項と同様であるので、説明の重複を避けるために詳細説明を省略した。
【００５２】
以上説明した第１実施形態及び第２実施形態の各光コネクタにおいて、カバー３０は、その光コネクタが搭載される機器の筐体によって共用することが可能である。
【００５３】
【発明の効果】
以上のように本発明に係る光コネクタは、薄形化・小型化を図りやすいのでポータブルタイプの機器に搭載が可能であり、部品の種類や点数が少なくて済むのでそれだけ組立が容易で安価に提供でき、さらに、機器の筐体を必要部品として共用することが可能であるので機器の薄形化・小形化を図りやすくなるという効果を奏する。
【図面の簡単な説明】
【図１】本発明の第１実施形態に係る光コネクタの使用状態を示す側面図である。
【図２】同光コネクタの縦断側面図である。
【図３】同光コネクタの要部の縦断正面図である。
【図４】同光コネクタの組立手順の初期段階を示した側面図である。
【図５】同光コネクタの組立手順の中間段階を示した側面図である。
【図６】同光コネクタの組立手順の最終段階を示した側面図である。
【図７】ベースの平面図である。
【図８】ベースの側面図である。
【図９】図７のＩＸ−ＩＸ線断面図である。
【図１０】カバーの平面図である。
【図１１】カバーの側面図である。
【図１２】カバーの内面を表した裏面図である。
【図１３】図１０のＸＩＩＩ−ＸＩＩＩ線断面図である。
【図１４】相手方光コネクタの側面図である。
【図１５】相手方光コネクタの正面図である。
【図１６】相手方光コネクタの一部破断側面図である。
【図１７】本発明の第２実施形態に係る光コネクタの使用状態を示す側面図である。
【図１８】同光コネクタの縦断側面図である。
【図１９】同光コネクタの要部の平面図である。
【図２０】同光コネクタの組立手順の初期段階を示した側面図である。
【図２１】同光コネクタの組立手順の最終段階を示した側面図である。
【図２２】ベースの平面図である。
【図２３】ベースの側面図である。
【図２４】図２２のＸＸＩＶ−ＸＸＩＶ線断面図である。
【図２５】カバーの平面図である。
【図２６】カバーの側面図である。
【図２７】カバーの内面を表した裏面図である。
【図２８】図２５のＸＸＶＩＩＩ−ＸＸＶＩＩＩ線断面図である。
【図２９】相手方光コネクタの側面図である。
【図３０】相手方光コネクタの正面図である。
【符号の説明】
Ｐ  光素子
１０  ベース
１２  横軸
１３  取付部
１４  支持面
１５  立上り面
１６  嵌合孔部
１７，３３  突起
１８，３６  係合凹部
１９  ベースの外側下面
３０  カバー
３７  カバーの外側上面
５０  リンク
５１，５２  長孔
６１，６２，６３  弾性片
１００，２００  相手方光コネクタ
１１０  ボディ
１２０  外筒部
１３０  突出部
１４１，１４２  係合凸部
２１０  ボディ
２２０  杆部
２３０  括れ部
２４０  突出部
【図１】
0003569648.tif 000002
【図２】
0003569648.tif 000003
【図３】
0003569648.tif 000004
【図４】
0003569648.tif 000005
【図５】
0003569648.tif 000006
【図６】
0003569648.tif 000007
【図７】
0003569648.tif 000008
【図８】
0003569648.tif 000009
【図９】
0003569648.tif 000010
【図１０】
0003569648.tif 000011
【図１１】
0003569648.tif 000012
【図１２】
0003569648.tif 000013
【図１３】
0003569648.tif 000014
【図１４】
0003569648.tif 000015
【図１５】
0003569648.tif 000016
【図１６】
0003569648.tif 000017
【図１７】
0003569648.tif 000018
【図１８】
0003569648.tif 000019
【図１９】
0003569648.tif 000020
【図２０】
0003569648.tif 000021
【図２１】
0003569648.tif 000022
【図２２】
0003569648.tif 000023
【図２３】
0003569648.tif 000024
【図２４】
0003569648.tif 000025
【図２５】
0003569648.tif 000026
【図２６】
0003569648.tif 000027
【図２７】
0003569648.tif 000028
【図２８】
0003569648.tif 000029
【図２９】
0003569648.tif 000030
【図３０】
0003569648.tif 000031